(57)【要約】【課題】本体ケースに対する上段ダイヤル及び下段ダイヤルのガタつきを抑えることができる撮像装置を提供する。【解決手段】本開示に係る撮像装置は、上下方向に貫通する貫通穴が設けられた本体ケースと、貫通穴の下方に配置され、本体ケースに固定される基板と、貫通穴の中心部を上下方向に通る回転軸を中心として回転可能な上段ダイヤルと、上段ダイヤルの下方に配置され、上段ダイヤルとは独立して回転可能な下段ダイヤルと、貫通穴の内側に配置され、下段ダイヤルの回転軸と上段ダイヤルの回転軸とが一致するように下段ダイヤルを回転自在に支持する支持部とを備え、支持部は、外周部の一部に設けられた接続部を介して本体ケースに片持ち状態で接続されるとともに、接続部に対して回転軸を介して対向する側に位置する自由端部から下方に突出するように設けられた固定部を介して基板に固定される。【選択図】図８
2019061038.tif 000002
【特許請求の範囲】
【請求項１】
上下方向に貫通する貫通穴が設けられた本体ケースと、
前記貫通穴の下方に配置され、前記本体ケースに固定される基板と、
前記貫通穴の中心部を上下方向に通る回転軸を中心として回転可能な上段ダイヤルと、
前記上段ダイヤルの下方に配置され、前記上段ダイヤルとは独立して回転可能な下段ダイヤルと、
前記貫通穴の内側に配置され、前記下段ダイヤルの回転軸と前記上段ダイヤルの回転軸とが一致するように前記下段ダイヤルを回転自在に支持する支持部と、
を備え、
前記支持部は、外周部の一部に設けられた接続部を介して前記本体ケースに片持ち状態で接続されるとともに、前記接続部に対して前記回転軸を介して対向する側に位置する自由端部から下方に突出するように設けられた固定部を介して前記基板に固定されている、
撮像装置。
【請求項２】
前記本体ケースと前記支持部とは、樹脂材料によって一体成形されている、請求項１に記載の撮像装置。
【請求項３】
前記支持部と前記基板との間に配置され、前記下段ダイヤルと一体的に前記回転軸を中心として回転する回転体を更に備え、
前記回転体には、前記回転軸を中心として回転する際、前記基板に設けられたパターンの上を摺動可能な接点部が設けられている、請求項１又は２に記載の撮像装置。
【請求項４】
前記パターンの一部は、平面視において前記接続部と重複する位置に設けられている、請求項３に記載の撮像装置。
【請求項５】
前記回転体には、前記回転軸を中心とする円弧状の開口部が設けられ、前記回転体の回転に伴って前記固定部が前記開口部内を相対移動するように構成されている、請求項３又は４に記載の撮像装置。
【請求項６】
前記接点部は、前記開口部と同心円上に位置する壁面に下方に突出するように設けられている、請求項５に記載の撮像装置。
【請求項７】
前記下段ダイヤルは、係合部を有し、
前記回転体は、前記接点部に対して前記回転軸を介して対向する側に設けられ、前記接続部を除いて前記支持部の外周部の周囲に設けられた円弧状の開口部を通じて前記係合部と係合する被係合部を有する、請求項４〜６のいずれか１つに記載の撮像装置。
【請求項８】
前記下段ダイヤルの回転に伴いクリック感を付与するクリック部材を更に備え、
前記クリック部材は、前記回転軸と直交する方向に延在し、前記下段ダイヤルの内周面に接触するように設けられている、請求項１〜７のいずれか１つに記載の撮像装置。
【発明の詳細な説明】
【技術分野】
【０００１】
本開示は、上下二段構成の二段式ダイヤルを備える撮像装置に関する。
【背景技術】
【０００２】
従来、この種の撮像装置は、同一の回転軸を中心として互いに独立して回転可能に構成された上段ダイヤルと下段ダイヤルとを備えている（例えば、特許文献１：特開２０１５−７５５９４号公報）。
【先行技術文献】
【特許文献】
【０００３】
【特許文献１】特開２０１５−７５５９４号公報
【発明の概要】
【発明が解決しようとする課題】
【０００４】
しかしながら、従来の撮像装置においては、上段ダイヤル及び下段ダイヤルが本体ケースの内部に設けられた部品に固定されており、当該部品がガタつくと、上段ダイヤル及び下段ダイヤルもガタつき、上段ダイヤル及び下段ダイヤルの回転軸が位置ズレすることになる。このため、各部品を高精度に位置決めする必要があり、製造上の手間やコスト等が増大することになる。
【０００５】
本開示の目的は、前記課題を解決することにあって、本体ケースに対する上段ダイヤル及び下段ダイヤルのガタつきを抑えることができる撮像装置を提供することにある。
【課題を解決するための手段】
【０００６】
本開示に係る撮像装置は、上下方向に貫通する貫通穴が設けられた本体ケースと、
前記貫通穴の下方に配置され、前記本体ケースに固定される基板と、
前記貫通穴の中心部を上下方向に通る回転軸を中心として回転可能な上段ダイヤルと、
前記上段ダイヤルの下方に配置され、前記上段ダイヤルとは独立して回転可能な下段ダイヤルと、
前記貫通穴の内側に配置され、前記下段ダイヤルの回転軸と前記上段ダイヤルの回転軸とが一致するように前記下段ダイヤルを回転自在に支持する支持部と、
を備え、
前記支持部は、外周部の一部に設けられた接続部を介して前記本体ケースに片持ち状態で接続されるとともに、前記接続部に対して前記回転軸を介して対向する側に位置する自由端部から下方に突出するように設けられた固定部を介して前記基板に固定されている。
【発明の効果】
【０００７】
本開示の撮像装置によれば、本体ケースに対する上段ダイヤル及び下段ダイヤルのガタつきを抑えることができる。
【図面の簡単な説明】
【０００８】
【図１】実施形態に係る撮像装置を正面側から見た斜視図である。
【図２】実施形態に係る撮像装置を背面側から見た斜視図である。
【図３】図１の撮像装置が備える本体ケースの上面図である。
【図４】支持部及び接続部を一部断面で示す斜視図である。
【図５】図１の撮像装置が備える二段式ダイヤルに関連する部品を斜め上方から見た分解斜視図である。
【図６】図１の撮像装置が備える二段式ダイヤルに関連する部品を斜め下方から見た分解斜視図である。
【図７】図１の撮像装置が備える二段式ダイヤルに関連する部品を一部断面で示す組立斜視図である。
【図８】図１の撮像装置が備える二段式ダイヤルに関連する部品を一部断面で示す組立斜視図である。
【図９】図１の撮像装置が備える二段式ダイヤルに関連する部品を一部断面で示す組立斜視図である。
【図１０】下段ダイヤルと回転体と支持部との位置関係を示す分解斜視図である。
【図１１】下段ダイヤルと回転体と支持部との位置関係を示す分解斜視図である。
【図１２】下段ダイヤルと回転体と基板との位置関係を示す分解斜視図である。
【図１３】回転体を斜め下方から見た斜視図である。
【図１４】基板とボスと接点部とロータリースイッチとの位置関係を示す斜視図である。
【発明を実施するための形態】
【０００９】
本開示の第１態様によれば、上下方向に貫通する貫通穴が設けられた本体ケースと、
前記貫通穴の下方に配置され、前記本体ケースに固定される基板と、
前記貫通穴の中心部を上下方向に通る回転軸を中心として回転可能な上段ダイヤルと、
前記上段ダイヤルの下方に配置され、前記上段ダイヤルとは独立して回転可能な下段ダイヤルと、
前記貫通穴の内側に配置され、前記下段ダイヤルの回転軸と前記上段ダイヤルの回転軸とが一致するように前記下段ダイヤルを回転自在に支持する支持部と、
を備え、
前記支持部は、外周部の一部に設けられた接続部を介して前記本体ケースに片持ち状態で接続されるとともに、前記接続部に対して前記回転軸を介して対向する側に位置する自由端部から下方に突出するように設けられた固定部を介して前記基板に固定されている、
撮像装置を提供する。
【００１０】
本開示の第２態様によれば、前記本体ケースと前記支持部とは、樹脂材料によって一体成形されている、第１態様に記載の撮像装置を提供する。
【００１１】
本開示の第３態様によれば、前記支持部と前記基板との間に配置され、前記下段ダイヤルと一体的に前記回転軸を中心として回転する回転体を更に備え、
前記回転体には、前記回転軸を中心として回転する際、前記基板に設けられたパターンの上を摺動可能な接点部が設けられている、第１又は２態様に記載の撮像装置を提供する。
【００１２】
本開示の第４態様によれば、前記パターンの一部は、平面視において前記接続部と重複する位置に設けられている、第３態様に記載の撮像装置を提供する。
【００１３】
本開示の第５態様によれば、前記回転体には、前記回転軸を中心とする円弧状の開口部が設けられ、前記回転体の回転に伴って前記固定部が前記開口部内を相対移動するように構成されている、第３又は４態様に記載の撮像装置を提供する。
【００１４】
本開示の第６態様によれば、前記接点部は、前記開口部と同心円上に位置する壁面に下方に突出するように設けられている、第５態様に記載の撮像装置を提供する。
【００１５】
本開示の第７態様によれば、前記下段ダイヤルは、係合部を有し、
前記回転体は、前記接点部に対して前記回転軸を介して対向する側に設けられ、前記接続部を除いて前記支持部の外周部の周囲に設けられた円弧状の開口部を通じて前記係合部と係合する被係合部を有する、第４〜６態様のいずれか１つに記載の撮像装置を提供する。
【００１６】
本開示の第８態様によれば、前記下段ダイヤルの回転に伴いクリック感を付与するクリック部材を更に備え、
前記クリック部材は、前記回転軸と直交する方向に延在し、前記下段ダイヤルの内周面に接触するように設けられている、第１〜７態様のいずれか１つに記載の撮像装置を提供する。
【００１７】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、発明者らは、当業者が本開示を十分に理解するために添付図面及び以下の説明を提供するものであって、これらによって特許請求の範囲に記載の主題を限定することを意図するものではない。
【００１９】
また、以下では、説明の便宜上、通常使用時の状態を想定して「上」、「下」、「正面」、「背面」等の方向を示す用語を用いるが、本発明の撮像装置の使用状態等を限定することを意味するものではない。
【００２０】
《実施形態》
図１は、実施形態に係る撮像装置を正面側から見た斜視図である。図２は、実施形態に係る撮像装置を背面側から見た斜視図である。実施形態に係る撮像装置は、デジタルカメラである。
【００２１】
図１及び図２に示すように、実施形態に係る撮像装置１は、本体ケース２の上部に上下二段構成の二段式ダイヤル３を備えている。二段式ダイヤル３は、互いに独立して回転可能な上段ダイヤル４と下段ダイヤル５とを備えている。なお、二段式ダイヤル３以外の構成については、特に限定されるものではなく、従来公知の撮像装置が備える構成と同様であるので、ここでは説明を省略する。
【００２２】
図３は、本体ケース２の上面図である。実施形態において、本体ケース２は、上部を構成するカバー部材２Ａを備えている。二段式ダイヤル３は、カバー部材２Ａに回転可能に取り付けられる。
【００２３】
図３に示すように、カバー部材２Ａは、内部ストロボや、ＥＶＦ（電子ビューファインダ）、電源ボタン、シャッターボタン、ズームレバーなどの各部品が取り付けられるように構成されている。また、カバー部材２Ａ（図３の右側）には、上下方向に貫通する円形の貫通穴２Ｂが設けられている。
【００２４】
貫通穴２Ｂの内側には、上段ダイヤル４の回転軸と下段ダイヤル５の回転軸とが一致するように下段ダイヤル５を回転自在に支持する支持部６が配置されている。貫通穴２Ｂは、平面視において支持部６を内側に包含する大きさの穴である。支持部６は、島状に形成され、外周部の一部に設けられた接続部６１を介して本体ケース２に片持ち状態で接続されている。支持部６の外周部の他部は、円弧状の開口部２Ｃに接することになる。開口部２Ｃは、平面視において貫通穴２Ｂから支持部６及び接続部６１を除いた大きさの穴である。開口部２Ｃの中心角は、１８０度以上（例えば、２７０度）である。実施形態において、本体ケース２と支持部６とは、樹脂材料によって一体成形されている。
【００２５】
図４は、支持部６及び接続部６１を一部断面で示す斜視図である。
【００２６】
図４に示すように、支持部６の下方には、基板７が配置されている。基板７は、本体ケース２に固定されている。支持部６は、接続部６１に対して上段ダイヤル４及び下段ダイヤル５の回転軸を介して対向する側に位置する自由端部６２から下方に突出するように設けられた固定部の一例であるボス６３を介して基板７に固定されている。すなわち、支持部６は、本体ケース２に対して位置ズレしないように一体化されている。
【００２７】
図５は、二段式ダイヤル３に関連する部品を斜め上方から見た分解斜視図である。図６は、二段式ダイヤル３に関連する部品を斜め下方から見た分解斜視図である。図７〜図９は、二段式ダイヤル３に関連する部品を一部断面で示す組立斜視図である。
【００２８】
まず、上段ダイヤル４に関連する部品について説明する。
【００２９】
上段ダイヤル４は、図７及び図８に示すように、貫通穴２Ｂの中心部を上下方向に通る回転軸Ｒを中心として回転可能に構成されている。上段ダイヤル４は、例えば、各種モードを選択するためのダイヤルであり、３６０度回転可能に構成されている。
【００３０】
上段ダイヤル４は、ダイヤル部材４１と、ダイヤルキャップ４２と、両面テープ４３とを備えている。
【００３１】
ダイヤル部材４１は、円板部４１Ａと、円板部４１Ａよりも小さな外径を有する円筒部４１Ｂとを備えている。円板部４１Ａと円筒部４１Ｂとは、それぞれの中心が回転軸Ｒ上に位置するように同軸配置されている。
【００３２】
円板部４１Ａの上面は、両面テープ４３を介してダイヤルキャップ４２の下面に接着されている。これにより、ダイヤル部材４１とダイヤルキャップ４２とが一体化されている。ダイヤルキャップ４２は、ダイヤル部材４１を覆うように形成されている。ダイヤルキャップ４２の上面には、例えば、各種モードを表す記号又は文字が周方向に複数印刷されている。
【００３３】
円板部４１Ａの下面には、図６に示すように、山部と谷部とが周方向に交互に連続する波状部４１Ｃが形成されている。図７に示すように、波状部４１Ｃに接触するように一対のクリック部材４４が配置される。一対のクリック部材４４は、回転軸Ｒを介して対向する位置に配置される。
【００３４】
クリック部材４４は、上段ダイヤル４の回転に伴いクリック感を付与するものである。クリック部材４４は、回転軸Ｒと平行な方向に延在するように配置されている。より具体的には、クリック部材４４は、回転軸Ｒと平行な方向に延在するように支持部６に設けられた円筒凹部６Ａ（図５参照）に収納されている。
【００３５】
クリック部材４４は、ボール４４Ａと、バネ４４Ｂとを備えている。ボール４４Ａが波状部４１Ｃに接触するようにバネ４４Ｂにより付勢された状態で上段ダイヤル４が回転されると、ボール４４Ａが波状部４１Ｃに沿って移動することで上下動する。この上下動に伴い、バネ４４Ｂがボール４４Ａに付与する付勢力が変化する。これにより、クリック部材４４がクリック感を付与する。
【００３６】
円筒部４１Ｂの上端部は、円板部４１Ａの下面に接続されている。円筒部４１Ｂの下端部には締結部材の一例であるネジ４５がネジ込まれる。
【００３７】
ネジ４５は、軸部４５Ａと、フランジ部４５Ｂとを備えている。ネジ４５は、軸部４５Ａが円筒部４１Ｂ内に挿入され、フランジ部４５Ｂが円筒部４１Ｂの下端部に接触するようにネジ込まれる。フランジ部４５Ｂは、円筒部４１Ｂよりも外方に突出するように、外径が円筒部４１Ｂよりも大きく形成されている。フランジ部４５Ｂにおいて円筒部４１Ｂよりも外方に突出した部分には、抜け止め部４６が係合される。
【００３８】
抜け止め部４６は、小径円筒部４６Ａと大径円筒部４６Ｂとを備えている。小径円筒部４６Ａと大径円筒部４６Ｂとの内周側の接続部分には段差が設けられ、当該段差で抜け止め部４６とフランジ部４５Ｂとが接触して係合する。このとき、小径円筒部４６Ａは、円筒部４１Ｂの外周面に嵌合する。これにより、上段ダイヤル４が回転されると、抜け止め部４６も一体的に回転する。大径円筒部４６Ｂの下部には、図６に示すように、複数の係合凹部４６Ｃが設けられている。
【００３９】
抜け止め部４６の下方には、回転伝達部材４７が配置されている。回転伝達部材４７は、図５に示すように、円板部４７Ａと、円板部４７Ａよりも小さな外径を有する円筒部４７Ｂと、平板状の複数の係合片４７Ｃとを備えている。円筒部４７Ｂの下端部は、円板部４７Ａの上面に接続されている。複数の係合片４７Ｃは、それぞれ、円板部４７Ａの上面及び円筒部４７Ｂの外周面に接続され、抜け止め部４６の係合凹部４６Ｃ（図６参照）に挿入可能に構成されている。複数の係合片４７Ｃが複数の係合凹部４６Ｃに挿入された状態で、上段ダイヤル４の回転に伴って抜け止め部４６が回転されると、回転伝達部材４７も一体的に回転する。円筒部４７Ｂの内周面は、図５に示すように、断面Ｄ字状に形成されている。
【００４０】
回転伝達部材４７の下方には、ロータリースイッチ４８が配置されている。ロータリースイッチ４８は、回転伝達部材４７の円筒部４７Ｂ内に挿入可能な断面Ｄ字状の軸部４８Ａを備えている。軸部４８Ａが円筒部４７Ｂ内に挿入された状態で回転伝達部材４７が回転されることで、軸部４８Ａが一体的に回転する。軸部４８Ａの回転により、各種モードが切り替えられる。
【００４１】
ロータリースイッチ４８は、例えば半田付けにより、基板７上に実装されている。基板７は、貫通穴２Ｂ（図３参照）の下方に配置され、本体ケース２に固定されている。実施形態において、基板７は、複数のパターンが形成されたフレキシブル基板７１と、板金７２とで構成されている。板金７２は、フレキシブル基板７１の下面に、例えば、両面テープ（図示せず）により貼り付けられている。板金７２により基板７の剛性が確保されている。フレキシブル基板７１及び板金７２には、複数の貫通孔７１Ａ，７２Ａが設けられている。貫通孔７１Ａ，７２Ａを通じて締結部材の一例であるネジ７３が本体ケース２にネジ込まれることにより、基板７が本体ケース２に固定される。なお、基板７は、ある程度の剛性を有するものであればよく、例えば、ガラスエポキシ基板に複数のパターンを形成したプリント配線基板であってもよい。
【００４２】
次に、下段ダイヤル５に関連する部品について説明する。
【００４３】
下段ダイヤル５は、上段ダイヤル４と同一の回転軸Ｒを中心として回転可能に構成されている。実施形態において、下段ダイヤル５は、回転軸Ｒを中心として３６０度未満（例えば、２７０度）の範囲で回転可能に構成されている。下段ダイヤル５は、例えば、露出補正を行うための露出補正ダイヤルである。
【００４４】
下段ダイヤル５は、ダイヤル部材５１と、ダイヤルキャップ５２と、両面テープ５３とを備えている。
【００４５】
ダイヤル部材５１は、円板の中心に貫通穴が設けられた円環部５１Ａと、円環部５１Ａの外周部から下方に延在するように設けられた円筒部５１Ｂとを備えている。円環部５１Ａと円筒部５１Ｂとは、それぞれの中心が回転軸Ｒ上に位置するように支持部６の周囲に同軸配置されている。
【００４６】
円環部５１Ａの上面は、環状の両面テープ５３を介してダイヤルキャップ５２の下面に接着されている。これにより、ダイヤル部材５１とダイヤルキャップ５２とが一体化されている。ダイヤルキャップ５２は、断面Ｌ字状の円環状部材であり、ダイヤル部材５１を覆うように形成されている。ダイヤルキャップ５２の上面には、例えば、露出補正を表す数字（−３〜＋３）が周方向に複数印刷されている。
【００４７】
円環部５１Ａは、図９に示すように、ダイヤルキャップ５２よりも小さな内径を有し、内周部５１Ａａがダイヤルキャップ５２の内周部よりも内側（回転軸Ｒ）側に突出するように形成されている。この円環部５１Ａの内周部５１Ａａを上方から押さえるように、抜け止め部５４が配置されている。
【００４８】
抜け止め部５４は、円環状に形成されている。抜け止め部５４には、複数の貫通孔５４Ａが設けられている。貫通孔５４Ａを通じて締結部材の一例であるネジ５５が支持部６に設けられた貫通孔６Ｂ（図５参照）にネジ込まれることにより、ダイヤルキャップ５２が抜け止めされる。
【００４９】
円筒部５１Ｂの内周面には、図６に示すように、山部と谷部とが周方向に交互に連続する波状部５１Ｃが形成されている。図８に示すように、波状部５１Ａに接触するように一対のクリック部材５６が配置される。一対のクリック部材５６は、回転軸Ｒを介して対向する位置に配置される。
【００５０】
クリック部材５６は、下段ダイヤル５の回転に伴いクリック感を付与するものである。クリック部材５６は、回転軸Ｒと直交する方向に延在するように配置されている。より具体的には、クリック部材５６は、回転軸Ｒと平行な方向に延在するように支持部６に設けられた溝部６Ｃ（図５参照）に収納されている。
【００５１】
クリック部材５６は、ボール５６Ａと、バネ５６Ｂとを備えている。ボール５６Ａが波状部５１Ｃに接触するようにバネ５６Ｂにより付勢された状態で下段ダイヤル５が回転されると、ボール５６Ａが波状部５１Ｃに沿って移動することで回転軸Ｒと直交する方向に進退移動する。この進退移動に伴い、バネ５６Ｂがボール５６Ａに付与する付勢力が変化する。これにより、クリック部材５６がクリック感を付与する。
【００５２】
支持部６と基板７との間には、図５に示すように、回転体５７が配置されている。回転体５７は、内側円環部５７Ａと外側円環部５７Ｂとを備えている。内側円環部５７Ａと外側円環部５７Ｂとは、接続部５７Ｃによって接続されている。
【００５３】
内側円環部５７Ａの内側には、図７及び図８に示すように、回転伝達部材４７が回転可能に挿入される。内側円環部５７Ａと外側円環部５７Ｂと接続部５７Ｃとの間には、回転軸Ｒを中心とする円弧状の開口部５７Ｄが設けられている。開口部５７Ｂの中心角は、１８度以上（例えば、２７０度）である。回転体５７の開口部５７Ｄには、ボス６３が挿入される。ボス６３には、図９に示すように、基板７を介して締結部材の一例であるネジ７４がネジ込まれる。これにより、支持部６は、ボス６３を介して基板７に固定されている。
【００５４】
図１０及び図１１は、下段ダイヤル５と回転体５７と支持部６との位置関係を示す分解斜視図である。
【００５５】
図１０及び図１１に示すように、下段ダイヤル５のダイヤル部材５１には、下方に突出する係合部の一例である一対の係合凸部５１Ｄが設けられている。回転体５７の外側円環部５７Ｂには、一対の係合凸部５１Ｄを挿入可能な被係合部の一例である一対の係合凹部５７Ｅが設けられている。本体ケース２の円弧状の開口部２Ｃを通じて一対の係合凸部５１Ｄが一対の係合凹部５７Ｅに挿入されることにより、下段ダイヤル５と回転体５７とが回転軸Ｒを中心として一体的に回転可能になる。なお、図１１に示すように、一対の係合凸部５１Ｄのいずれか一方が接続部６１に接触することで、下段ダイヤル５と回転体５７との回転が規制される。
【００５６】
一対の係合凹部５７Ｅの間には、上方に突出する係合凸部５７Ｆが設けられている。係合凸部５７Ｆが一対の係合凸部５１Ｄの間に設けられた係合凹部（図示せず）に挿入されることにより、下段ダイヤル５と回転体５７とはより確実に係合される。
【００５７】
内側円環部５７Ａの上面には、円環状のリブ５７Ａａが設けられている。外側円環部５７Ｂの上面には、円環状のリブ５７Ｂａが設けられている。回転体５７が回転する際、リブ５７Ａａ，リブ５７Ｂａが支持部６の下面に接触することで、例えば、回転体５７の全体が支持部６の下面を摺動して削り粉が発生するようなことを抑えられる。
【００５８】
図１２は、下段ダイヤル５と回転体５７と基板７との位置関係を示す分解斜視図である。
【００５９】
図１２に示すように、回転体５７の開口部５７Ｄには、ボス６３が挿入される。回転体５７の回転に伴って、ボス６３は、開口部５７Ｄ内を相対移動する。一対の係合凹部５７Ｅ及び係合凸部５７Ｆは、接続部５７Ｃに対して回転軸Ｒを介して対向する側に設けられている。
【００６０】
図１３は、回転体５７を斜め下方から見た斜視図である。
【００６１】
図１３に示すように、回転体５７の下面には、接点部５８とガイド部材５９とが取り付けられている。接点部５８は、開口部５７Ｄと同心円上に位置する壁面である回転体５７の接続部５７Ｃの下面に下方（基板７に接する方向）に突出するように設けられている。接点部５８は、回転体５７が回転軸Ｒを中心として回転する際、基板７に設けられたパターンの上を摺動可能なブラシ５８Ａ，５８Ｂを備えている。ガイド部材５９は、ボス６３に取り付けられ、回転体５７の上下方向の変形を抑えて回転体５７の回転が円滑になるようにガイドする部材である。
【００６２】
図１４は、基板７とボス６３と接点部５８とロータリースイッチ４８との位置関係を示す斜視図である。
【００６３】
図１４に示すように、フレキシブル基板７１には、ボス６３の近傍部分を除いてロータリースイッチ４８の周囲を囲むように、回転軸Ｒを中心とする同心円状の第１パターン７１Ｂと、第２パターン７１Ｃとが形成されている。第１パターン７１Ｂ及び第２パターン７１Ｃは、例えば、金メッキにより形成されている。
【００６４】
第１パターン７１Ｂは、連続的に形成され、グランドに接続されている。第２パターン７１Ｃは、複数エリア（例えば、１９エリア）に分割されるように断続的に形成され、中央処理装置（ＣＰＵ：図示せず）に接続されている。第１パターン７１Ｂ及び第２パターン７２Ｃの一部は、平面視において、接続部６１と重複する位置に設けられている。
【００６５】
接点部５８のブラシ５８Ａ（図１３参照）は、回転体５７が回転軸Ｒを中心として回転する際、第１パターン７１Ｂ上を摺動するように設けられている。接点部５８のブラシ５８Ｂ（図１３参照）は、回転体５７が回転軸Ｒを中心として回転する際、第２パターン７１Ｃ上を摺動するように設けられている。ブラシ５８Ｂと第２パターン７１Ｃとの接触位置に基づいて、下段ダイヤル５の設定（例えば、露出補正）が切り替えられる。
【００６６】
実施形態によれば、支持部６が、接続部６１を介して本体ケース２に片持ち状態で接続されるとともに、自由端部６２から下方に突出するように設けられたボス６３を介して基板７に固定されるように構成されている。この構成によれば、本体ケース２に対する上段ダイヤル４及び下段ダイヤル５のガタつきをより確実に抑えることができる。
【００６７】
また、実施形態によれば、本体ケース２と支持部６とは、樹脂材料によって一体成形されている。この構成によれば、本体ケース２に対する上段ダイヤル４及び下段ダイヤル５のガタつきを一層確実に抑えることができる。
【００６８】
なお、自由端部６２にボス６３を設けた場合、基板７においてボス６３の近傍部分にはパターンを形成することができない。また、接点部５８は、ボス６３と接触しないように、ボス６３の近傍部分を避けて移動することが求められる。
【００６９】
これに対して、実施形態によれば、支持部６と基板７との間に回転体５７を備え、回転体５７が下段ダイヤル５と一体的に回転することで、回転体５７に設けられた接点部５８が基板７のパターンの上を摺動するように構成されている。この構成によれば、回転体５７によって、ボス６３に接触しない位置に接点部５８を配置することが可能になる。
【００７０】
また、実施形態によれば、基板７のパターンの一部を平面視において接続部６１と重複する位置に設けている。この構成によれば、基板７のパターンと接点部５８とが接触する範囲を拡大することができ、下段ダイヤル５の設定変更幅をより拡大（１８０度以上）することができる。
【００７１】
また、実施形態によれば、回転体５７には、回転軸Ｒを中心とする円弧状の開口部５７Ｄが設けられ、回転体５７の回転に伴ってボス６３が開口部５７Ｄ内を相対移動するように構成されている。この構成によれば、ボス６３によって回転体５７の回転が阻害されることを抑えることができる。
【００７２】
また、実施形態によれば、接点部５８は、開口部５７Ｄと同心円上に位置する壁面に下方に突出するように設けられている。この構成によれば、ボス６３は開口部５７Ｄ内で移動するので、接点部５８とボス６３とが接触することをより確実に抑えることができる。
【００７３】
また、実施形態によれば、回転体５７は、接点部５８に対して回転軸Ｒを介して対向する側に設けられた一対の係合凹部５７Ｅを備え、円弧状の開口部２Ｃを通じて下段ダイヤル５の一対の係合凸部５１Ｄと係合するよう構成されている。この構成によれば、開口部２Ｃの中心角の範囲で、回転体５７と下段ダイヤル５とを一体的に回転させることができる。
【００７４】
また、実施形態によれば、下段ダイヤル５の回転に伴いクリック感を付与するクリック部材５６が、回転軸Ｒと直交する方向に延在し、下段ダイヤル５の内周面に接触するように設けられている。この構成によれば、二段式ダイヤルの高さが増加することを抑えることができる。
【００７５】
なお、本開示は前記実施形態に限定されるものではなく、その他種々の態様で実施できる。例えば、図１では、回転体５７と接点部５８とを別個の部材であるものとしたが、本開示はこれに限定されない。例えば、回転体５７と接点部５８とは一体化されて一個の部材であってもよい。
【００７６】
また、前記では、一対の係合凸部５１Ｄのいずれか一方が接続部６１に接触することで、下段ダイヤル５と回転体５７との回転が規制されるものとしたが、本発明はこれに限定されない。例えば、ボス６３が回転体５７の接続部５７Ｃに接触することで、下段ダイヤル５と回転体５７との回転が規制されてもよい。
【００７７】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７８】
また、前述の実施形態は、本開示における技術を例示するためのものであるから、特許請求の範囲又はその均等の範囲において種々の変更、置き換え、付加、省略などを行うことができる。
【産業上の利用可能性】
【００７９】
本開示に係る撮像装置は、本体ケースに対する上段ダイヤル及び下段ダイヤルのガタつきを抑えることができるので、デジタルカメラのみならず、上下二段構成の二段式ダイヤルを有する撮像装置に有用である。
【符号の説明】
【００８０】
１      撮像装置
２      本体ケース
２Ａ    カバー部材
２Ｂ    貫通穴
２Ｃ    開口部
３      二段式ダイヤル
４      上段ダイヤル
４１    ダイヤル部材
４１Ａ  円板部
４１Ｂ  円筒部
４１Ｃ  波状部
４２    ダイヤルキャップ
４３    両面テープ
４４    クリック部材
４４Ａ  ボール
４４Ｂ  バネ
４５    ネジ
４５Ａ  軸部
４５Ｂ  フランジ部
４６    抜け止め部
４６Ａ  小径円筒部
４６Ｂ  大径円筒部
４６Ｃ  係合凹部
４７    回転伝達部材
４７Ａ  円板部
４７Ｂ  円筒部
４７Ｃ  係合片
４８    ロータリースイッチ
４８Ａ  軸部
５      下段ダイヤル
５１    ダイヤル部材
５１Ａ  円環部
５１Ａａ  内周部
５１Ｂ  円筒部
５１Ｃ  波状部
５１Ｄ  係合凸部（係合部）
５２    ダイヤルキャップ
５３    両面テープ
５４    抜け止め部
５４Ａ  貫通孔
５５    ネジ
５６    クリック部材
５６Ａ  ボール
５６Ｂ  バネ
５７    回転体
５７Ａ  内側円環部
５７Ａａ  リブ
５７Ｂ  外側円環部
５７Ｂａ  リブ
５７Ｃ  接続部
５７Ｄ  開口部
５７Ｅ  係合凹部（被係合部）
５７Ｆ  係合凸部
５８    接点部
５８Ａ  ブラシ
５８Ｂ  ブラシ
５９    ガイド部材
６      支持部
６Ａ    円筒凹部
６Ｂ    貫通孔
６Ｃ    溝部
６１    接続部
６２    自由端部
６３    ボス（固定部）
７      基板
７１    フレキシブル基板
７１Ａ  貫通孔
７１Ｂ  第１パターン
７１Ｃ  第２パターン
７２    板金
７２Ａ  貫通孔
７３    ネジ
７４    ネジ
【図１】
2019061038.tif 000003
【図２】
2019061038.tif 000004
【図３】
2019061038.tif 000005
【図４】
2019061038.tif 000006
【図５】
2019061038.tif 000007
【図６】
2019061038.tif 000008
【図７】
2019061038.tif 000009
【図８】
2019061038.tif 000010
【図９】
2019061038.tif 000011
【図１０】
2019061038.tif 000012
【図１１】
2019061038.tif 000013
【図１２】
2019061038.tif 000014
【図１３】
2019061038.tif 000015
【図１４】
2019061038.tif 000016